(57)【要約】【課題】移動端末装置が予め登録している位置に入った時、制御対象機器の状態を表示し、また近距離無線通信により制御対象機器のある状態から指定したある状態へ変化させる制御信号を出力する移動端末装置を提供する。【解決手段】制御手段２０５は位置検出手段２０７からの現在位置データを取得し、携帯端末１０１に予め登録している位置に携帯端末１０１が入った時、近距離無線無線通信手段２１０を介して制御対象機器の機器状態データを受信するため、外出時に機器の状態が外出時の設定にされていることを一目で確認することができ、安心して外出することができる。【選択図】図１
2005229362.tif 000002
【特許請求の範囲】
【請求項１】
移動端末装置において、移動端末装置の現在の位置を検出し現在位置データを出力する位置検出手段と、近距離範囲内に位置する制御対象機器との間で無線通信を行う近距離無線通信手段と、前記位置検出手段からの移動端末装置の前記現在位置データが予め登録した位置に入ったとき、前記近距離無線通信手段を介して受信した前記制御対象機器の状態を示す機器状態データを表示する表示手段を備えた移動端末装置。
【請求項２】
前記移動端末装置において、前記近距離無線通信手段を介して前記制御対象機器をある状態から指定したある状態へ変化させる制御信号を出力する制御手段を備えた請求項１に記載の移動端末装置。
【請求項３】
前記移動端末装置において、前記移動端末装置が前記近距離無線通信手段を介して前記制御対象機器の状態を示す機器状態データを受信し、制御対象機器が移動端末装置に予め登録している指定したある状態でない場合、指定したある状態へ変更する制御信号を移動端末装置の判断で出力することを特徴とした請求項１または２に記載の移動端末装置。
【請求項４】
前記移動端末装置が制御対象機器へ指定したある状態に変更する制御信号を出力し、制御対象機器の状態が指定したある状態に変化した場合、制御対象機器から状態変更完了信号を受信し、移動端末装置の表示手段に状態変更完了を報知することを特徴とした請求項１〜３のいずれか１項に記載の移動端末装置。
【請求項５】
前記移動端末装置において、指定したある状態に変更する制御信号を移動端末装置の判断で出力するか否かを選択できることを特徴とした請求項１〜４のいずれか１項に記載の移動端末装置。
【請求項６】
前記移動端末装置は不揮発性メモリを有し、前記不揮発性メモリへ制御対象機器の機器情報及び機器状態データを受信する位置を保存する不揮発性メモリ制御手段を有する請求項１〜５のいずれか１項に記載の移動端末装置。
【請求項７】
請求項１〜６のいずれか１項記載の移動端末装置の機能の少なくとも一部をコンピュータに実現させるためのプログラム。
【発明の詳細な説明】
【技術分野】
【０００１】
本発明は、制御対象機器の遠隔的な制御に関し、例えば制御対象機器の設置場所からの外出時に設置された機器の制御を実行する移動端末装置およびそのプログラムに関するものである。
【背景技術】
【０００２】
従来、この種の遠隔監視制御システムとしては、遠隔監視用制御サーバが携帯電話機及び自動車のそれぞれの現在位置を示す情報から、携帯電話機の位置が自動車の近くであるか否かを判定し、携帯電話機の現在位置が自動車の現在位置の近くであることを確認してからドアの施錠解除の制御指示を自動車に対して出す制御が行われている（例えば特許文献１参照）。
【０００３】
図６は、特許文献１に記載された従来の遠隔監視制御システムの機器予約制御システムの概略構成図を示すものである。図６に示すように、まず遠隔監視制御用制御サーバ７０５は、携帯電話機７０３及び自動車に搭載している被監視制御用無線端末７０２のそれぞれの地理的な現在位置を示す情報をインターネット網７０４を介して収集し、携帯電話機７０３と被監視制御用無線端末７０２の現在位置との間の距離７０６を算出する。携帯電話機７０３と被監視制御用無線端末７０２の現在位置との間の距離７０６の値が予め定められた値を超えるか否かを判定し、算出された距離７０６の値が予め定められた値を超えていない場合は、携帯電話機７０３からの遠隔制御により送信されてきた、ドア施錠解除要求を示す制御情報を被監視制御用無線端末７０２へ送信し、自動車７０１のドアの施錠を解除する制御を行うことが可能である。
【特許文献１】特開２００２−２８１１６６号公報
【発明の開示】
【発明が解決しようとする課題】
【０００４】
しかしながら、前記従来の構成では、携帯電話機（携帯端末装置）と被監視制御用無線端末（制御対象機器）からそれぞれの位置情報をサーバが収集し、サーバが携帯端末装置と制御対象機器の離れている距離を算出しなければならないという課題を有していた。また、制御対象機器に制御開始信号を送信する場合、携帯端末装置と制御対象機器の離れている距離が、例えば携帯端末装置の所有者と自動車の間のような大変短い距離でも、携帯端末装置からインターネット網を介し、サーバを介して自動車へ到達するため、応答性が悪くまた通信回線の使用料金が発生するなどの課題を有していた。
【０００５】
本発明は、前記従来の課題を解決するもので、位置検出手段の検出により移動端末装置の現在位置が予め登録した位置に入ったとき、近距離無線通信手段を介して受信した制御対象機器の状態を示す機器状態データを表示し、近距離無線通信手段を介して前記制御対象機器をある状態から指定したある状態へ変化させる制御信号を出力する移動端末装置を提供することを目的とする。
【課題を解決するための手段】
【０００６】
前記従来の課題を解決するために、本発明の移動端末装置およびそのプログラムは、移動端末装置において、移動端末装置の現在の位置を検出し現在位置データを出力する位置検出手段と、近距離範囲内に位置する制御対象機器との間で無線通信を行う近距離無線通信手段と、前記位置検出手段からの移動端末装置の前記現在位置データが予め登録した位置に入ったとき、前記近距離無線通信手段を介して受信した前記制御対象機器の状態を示す機器状態データを表示する表示手段を備えた移動端末装置によって構成されていることを特徴としたものである。
【０００７】
これによって、例えば携帯端末装置の所有者が制御対象機器を設置している場所から外出する時、携帯端末装置が予め登録している位置に入ると携帯端末装置は制御対象機器と近距離無線通信で接続され携帯端末装置の表示部に現在の全ての機器の状態が表示されることから、外出時に機器の状態が外出時の設定にされていることを一目で確認することができる。
【０００８】
また、携帯端末装置において、近距離無線通信手段を介して制御対象機器をある状態から指定したある状態へ変化させる制御信号を出力することを特徴としたものである。
【０００９】
これによって、例えば外出時に携帯端末装置に表示されている現在の機器の状態が外出時の設定になっていなかった場合でも外出時の設定に確実に変更することができ、制御対象機器の設置場所に戻って設定を変える必要がなくなり、時間の浪費をすることなく安心して外出することができる。また、近距離無線通信手段を制御信号を出力するためインターネットを介した通信網を使用するよりもロスタイムが小さくなり、慌てて外出する場合でも外出時の設定に確実に変更することができ安心して外出することができる。
【発明の効果】
【００１０】
本発明の移動端末装置およびそのプログラムは、移動端末装置の現在位置が予め登録した位置に入ったとき、近距離無線通信手段を介して制御対象機器の状態を示すため、移動端末装置の所有者が制御対象機器を設置している場所から外出する時、移動端末装置が予め登録している位置に入ると移動端末装置は制御対象機器と近距離無線通信で接続され、移動端末装置の表示部に全ての制御対象機器の現在の状態が表示されることから、例えば外出時に機器の状態が外出時の設定にされていることを一目で確認することができる。例えば自宅から外出する場合、照明のスイッチの状態、調理器（電気またはガスでもよい）の状態、湯沸しポットの節電状態、ふろまたは給湯器の運転状態、玄関の施錠の状態などが一覧で表示され、現在の機器の状態が外出時の設定にされているか否かを確認できるため、安心して外出することができる。
【００１１】
また、近距離無線通信手段を介して制御対象機器をある状態から指定したある状態へ変化させる制御信号を出力するため、例えば玄関の施錠忘れや照明のスイッチの切忘れのような現在の機器の状態が外出時の設定になっていなかった場合でも外出時の設定に確実に変更することができ、制御対象機器の設置場所に戻って設定を変える必要がなくなり、時間の浪費がなく安心して外出することができる。また近距離無線通信手段を使用して制御信号を出力するためインターネットを介した通信網を使用するよりもロスタイムが小さくなり、慌てて外出する場合でも外出時の設定に確実に変更することができ安心して外出することができる。
【発明を実施するための最良の形態】
【００１２】
第１の発明は、移動端末装置において、移動端末装置の現在の位置を検出し現在位置データを出力する位置検出手段と、近距離範囲内に位置する制御対象機器との間で無線通信を行う近距離無線通信手段と、前記位置検出手段からの移動端末装置の前記現在位置データが予め登録した位置に入ったとき、前記近距離無線通信手段を介して受信した前記制御対象機器の状態を示す機器状態データを表示する表示手段を備えた移動端末装置を特徴とし、例えば移動端末装置の所有者が制御対象機器を設置している場所から外出する時、移動端末装置が予め登録している位置に入ると移動端末装置は制御対象機器と近距離無線通信で接続され、移動端末装置の表示部に全ての制御対象機器の現在の状態が表示されることから、外出時に機器の状態が外出時の設定にされていることを一目で確認することができる。例えば自宅から外出する場合、照明のスイッチの状態、調理器（電気またはガスでもよい）の状態、湯沸しポットの節電状態、ふろまたは給湯器の運転状態、玄関の施錠の状態などが一覧で表示され、現在の機器の状態が外出時の設定にされているか否かを確認できるため、安心して外出することができる。
【００１３】
第２の発明は、特に、第１の発明の移動端末装置において、前記移動端末装置において、前記近距離無線通信手段を介して前記制御対象機器をある状態から指定したある状態へ変化させる制御信号を出力する制御手段を備えることを特徴とし、例えば玄関の施錠忘れや照明のスイッチの切忘れのような現在の機器の状態が外出時の設定になっていなかった場合でも、制御対象機器の設置場所に戻って設定を変える必要がなくなり、時間の浪費がなく安心して外出することができる。また近距離無線通信手段を使用して制御信号を出力するためインターネットを介した通信網を使用するよりもロスタイムが小さくなり、慌てて外出する場合でも外出時の設定に確実に変更することができ安心して外出することができる。
【００１４】
第３の発明は、特に、第１または第２の発明の移動端末装置において、前記移動端末装置において、前記移動端末装置が前記近距離無線通信手段を介して前記制御対象機器の状態を示す機器状態データを受信し、制御対象機器が移動端末装置に予め登録している指定したある状態でない場合、指定したある状態へ変更する制御信号を移動端末装置の判断で出力することを特徴とし、例えば使用者が時間にゆとりがなく外出する場合でも、制御対象機器が移動端末装置に予め登録している指定したある状態に変更されるため、安心して外出することができる。
【００１５】
第４の発明は、第１〜３のいずれか１つの発明の移動端末装置において、前記移動端末装置が制御対象機器へ指定したある状態に変更する制御信号を出力し、制御対象機器の状態が指定したある状態に変化した場合、制御対象機器から状態変更完了信号を受信し、移動端末装置の表示手段に状態変更完了を報知することを特徴とし、例えば使用者が時間にゆとりがなく外出する場合でも、制御対象機器が移動端末装置に予め登録している指定したある状態に変更されたことが確認できるため、安心して外出することができる。
【００１６】
第５の発明は、特に、第１〜４のいずれか１つの発明の移動端末装置において、前記移動端末装置において、指定したある状態に変更する制御信号を移動端末装置の判断で出力するか否かを選択できることを特徴とし、使用者が制御信号を移動端末装置の判断で出力するか否かの選択を制御対象機器全体または機器毎に行えるため、例えば機器毎に設定した場合、外出時、玄関の鍵は必ず施錠させたいので移動端末装置の判断で制御信号の出力をする設定とし、また窓のカーテンの開閉はその日の天気によって制御内容を変更したいため移動端末装置の判断で制御信号の出力をしない設定とし、使用者に対してサービス性が高くなる。
【００１７】
第６の発明は、特に、第１〜５のいずれか１つの発明の移動端末装置において、前記移動端末装置は不揮発性メモリを有し、前記不揮発性メモリへ制御対象機器の機器情報及び機器状態データを受信する位置を保存する不揮発性メモリ制御手段を有することを特徴とし、移動端末装置の電源ＯＦＦまたはバッテリー切れなどが発生しても、制御対象機器の機器情報及び前記近距離無線通信手段を介して、機器状態データを受信する位置を損なうことがなくなる。
【００１８】
第７の発明は、第１〜６の発明のいずれか１項の移動端末装置の機能の少なくとも一部をコンピュータに実現させるためのプログラムである。そして、プログラムであるので、電気・情報機器、コンピュータ、サーバ等のハードリソースを協働させて本発明の移動端末装置の少なくとも一部を容易に実現することができる。また記録媒体に記録したり通信回線を用いてプログラムを配信したりすることでプログラムの配布・更新やインストール作業が簡単にできる。
【００１９】
以下本発明の実施の形態について、図面を参照しながら説明する。なお、この実施の形態によって本発明が限定されるものではない。
【００２０】
（実施の形態１）
実施の形態では、移動端末装置を、使用者が携帯して用いる携帯端末を例にして説明する（例えばＧＰＳ内蔵の携帯電話や情報端末装置）。移動端末装置は自動車など乗り物が備えるナビゲーション装置であってもよい。また位置情報の検出はＧＰＳに限らず移動体通信網のセルの移動情報などを用いても良い。
【００２１】
図１は本発明の第１の実施の形態における通信システムの構成図、図２は本発明の第１の実施の形態における携帯端末（移動端末装置）のブロック図を示すものである。
【００２２】
図１において、携帯端末１０１は位置検出手段としてＧＰＳ（Ｇｌｏｂａｌ  Ｐｏｓｉｔｉｏｎｉｎｇ  Ｓｙｓｔｅｍ）機能を備えている。この携帯端末１０１と携帯端末の所有者（以下使用者という）の自宅に設置している機器Ａ１０３、機器Ｂ１０４、機器Ｃ１０５とは、Ｂｌｕｅｔｏｏｔｈ（Ｒ）等の相互に近距離無線通信を行うための手段を備えており、これにより携帯端末１０１から機器Ａ１０３、機器Ｂ１０４、機器Ｃ１０５を直接的に制御することができる。
【００２３】
ここで、近距離とは例えば数ｍないし１０ｍ前後を想定している。近距離無線通信を行うための手段としては、障害物による通信阻害がないＢｌｕｅｔｏｏｔｈ（Ｒ）等の電波による通信が好ましいが、赤外線を利用することを排除するものではない。但し、赤外線を利用する場合には、自動操作時にアラーム等を発生して使用者の援助を要する場合がありうる。また、本実施の携帯では携帯端末の一例として携帯電話機を想定しているが、通信機能を内蔵または装備できるＰＤＡ（Ｐｅｒｓｏｎａｌ  Ｄｉｇｉｔａｌ  Ａｓｓｉｓｔａｎｔ）等、任意の携帯型の端末装置であれば本発明を適用することができる。
【００２４】
以上のように構成された携帯端末について、以下その動作、作用を説明する。
【００２５】
図２において、携帯端末１０１の不揮発性メモリ２０４に、制御対象機器と、制御対象機器の機器状態データを取得するための位置を登録する必要がある。まず機器状態データを取得する位置の登録方法について説明する。キー入力手段２０２の所定の操作により携帯端末１０１が機器登録モードへ移行し、携帯端末１０１が制御対象機器の機器状態を表示できる位置に携帯端末１０１を移動する。この時、制御対象機器の設置されている場所からの外出時に機器の状態を表示させることを目的にしていることと、Ｂｌｕｅｔｏｏｔｈ（Ｒ）の通信接続が可能な範囲にする必要があることから、機器の設置場所から数ｍないし１０ｍ前後の範囲にする必要がある。キー入力手段２０２の操作により制御対象機器の機器状態の表示位置を決定すると、不揮発性メモリ制御手段２０３は機器状態データを受信する位置を示すデータを不揮発性メモリ２０４へ保存する。
【００２６】
次に制御対象機器の登録方法についてであるが、先に述べたように、キー入力手段２０２の所定の操作により携帯端末１０１を機器登録モードへ移行させる。次に同じく制御対象機器である機器Ａ１０３、機器Ｂ１０４、機器Ｃ１０５も所定の操作により機器登録モードへ移行させると、制御手段２０５は機器Ａ１０３、機器Ｂ１０４、機器Ｃ１０５から送信される機器情報を近距離無線通信手段２１０を介して受信する。不揮発性メモリ制御手段２０３は受信した機器情報を不揮発性メモリ２０４へ保存する。機器情報には、機器名、メーカ名、製造年月日などが含まれている。
【００２７】
また、不揮発性メモリ２０４へ登録した機器情報及び機器の状態データを受信する位置を示すデータは、不揮発性メモリ制御手段２０３により、携帯端末１０１の電源投入時、または定期的または間欠的のいずれかの周期で不揮発性メモリ２０４から、制御手段２０５のメモリ上へ読み出し、機器情報のリフレッシュを行う。
【００２８】
携帯端末１０１の位置検出手段２０７はＧＰＳ用の衛星からの電波受信のためのアンテナ２０９に接続され、必要時に携帯端末１０１の現在の位置をチェックする。制御手段２０５は、図１に示すように携帯端末１０１が自宅１０２から携帯端末に予め登録している位置Ａへ移動した場合、位置検出手段２０７が出力する現在位置データから携帯端末１０１が前記携帯端末に予め登録している位置Ａに入ったことを認識し、自宅１０２に設置の機器Ａ１０３、機器Ｂ１０４、機器Ｃ１０５の現在の機器状態を示す機器状態データを近距離無線通信手段２１０を介して取得する。制御手段２０５は受信した機器状態データを表示手段２０１に表示し、制御対象機器全てが予め携帯端末１０１に登録している指定したある状態になっているか否かを確認する（例えば玄関のドアロックはＯＮ、全室の照明ＯＦＦ、湯沸かしポットの節電モードＯＮなど）。表示手段２０１に機器状態データの表示が行われた時、使用者がこの報知画面に気づくように携帯端末１０１からアラーム音や音声メッセージ、振動などを発生することが好ましい。
【００２９】
携帯端末１０１の情報通信手段２０６は携帯電話の情報通信手段であり、携帯端末１０１が近距離無線通信が行える範囲から出てしまった場合でも、制御対象機器全てが予め携帯端末１０１に登録している指定したある状態になっているか否かを再確認する場合には、情報通信手段２０６と前記情報通信手段２０６と接続されたアンテナ２０８を介して機器状態データを取得し現在の機器状態を確認する。
【００３０】
図３は携帯端末１０１が予め登録している位置に入ったとき、近距離無線通信手段２１０を介して受信した制御対象機器の機器状態データを表示手段２０１に表示したイメージ図である。玄関ドアロックはＯＮ、リビングの照明はＯＦＦ、居間の照明はＯＦＦであるが、湯沸かしポットの節電モードがＯＮの状態になっていないことを示している。
【００３１】
全ての制御対象機器が予め設定しているある状態にない機器が残っている場合、制御手段２０５は、前述のある状態にない制御対象機器（湯沸かしポット）に対してある状態（節電モード）へ変化させる制御信号の送信を開始するが、制御信号の送信を使用者の判断なく携帯端末１０１の判断で実行することができる。携帯端末１０１の判断で制御信号を送信するか否かは、携帯端末１０１への制御対象機器の機器情報の登録時に予め設定を行っている。携帯端末１０１の判断で制御信号の送信を実行する選択になっている場合、制御対象機器をある状態へ変化させるための制御信号の送信を開始する。これによって使用者が時間にゆとりがなく外出する場合でも、制御対象機器が携帯端末に予め登録している指定したある状態に変更されるため、使用者は安心して外出することができる。
【００３２】
また、制御信号の送信を携帯端末１０１の判断で行うか否かの設定は機器毎に行えるため、例えば玄関の鍵は必ず施錠させたいので携帯端末装置の判断で制御信号の出力をする設定とし、また窓のカーテンの開閉はその日の天気によって制御内容を変更したいため携帯端末装置の判断で制御信号の出力をしない設定とし、使用者に対してサービス性が高くなる。携帯端末１０１の判断で制御信号の送信を実行する選択になっていない場合、使用者に制御信号の送信の有無の確認を行う報知を行う。使用者はキー入力手段２０２の操作により制御対象機器への指定したある状態へ変化させる制御信号を送信するか否かを判断し、制御信号を送信するを選択した場合、制御信号の送信を開始する。また、使用者が制御信号を送信するか否かを判断している間に携帯端末１０１が近距離無線通信が行える範囲から出てしまった場合でも、携帯端末１０１は携帯端末１０１の判断で近距離無線通信手段２１０から情報通信手段２０６とアンテナ２０８に通信手段を切り替え制御信号の送信を開始することができる。
【００３３】
図４は、携帯端末１０１の表示手段２０１に玄関のドアロックが完了したイメージ図である。制御対象機器へ指定したある状態に変更する制御信号を出力し、制御対象機器の状態が指定したある状態に変化した場合、制御対象機器から状態変更完了信号を受信し、携帯端末１０１の表示手段２０１に状態変更完了を報知する。表示手段２０１に状態変更完了の表示が行われた時、使用者がこの報知画面に気づくように携帯端末１０１からアラーム音や音声メッセージ、振動などを発生することが好ましい。
【００３４】
図５は本発明の携帯端末（移動端末装置）の動作を説明するためのフローチャートである。図５において、図２に示す制御手段２０５は、位置検出手段２０７から出力する現在位置データから現在位置を確認し（ＳＴＥＰ１）、携帯端末１０１に予め登録している制御対象機器の状態を示す機器状態データを受信する位置に入っているか否かを確認する（ＳＴＥＰ２）。機器状態データを受信する位置に入っていない場合（ＳＴＥＰ２のＮｏ）、再び携帯端末１０１の現在位置の確認を行う処理へ戻る（ＳＴＥＰ１）。この現在位置を確認する処理は間欠的（たとえば数秒または数十秒間隔で継続的に）に実行される。機器状態データを受信する位置に入っている場合（ＳＴＥＰ２のＹｅｓ）、制御対象機器の状態を示す機器状態データを近距離無線通信手段２１０を介して受信し、表示手段２０１に制御対象機器（機器１Ａ）の現在の状態を表示する（ＳＴＥＰ４）。
【００３５】
次に、制御対象機器の状態を示す機器状態データが携帯端末１０１に予め登録している指定したある状態であるか否かを判定し、制御対象機器が指定したある状態でない場合（ＳＴＥＰ５のＮｏ）、制御対象機器の状態を指定したある状態へ変更するための制御信号の送信を開始するが、制御信号の送信を使用者の判断なく携帯端末１０１の判断で実行する選択になっているかを確認し、携帯端末１０１の判断で制御信号の送信を行う選択である場合（ＳＴＥＰ６のＹｅｓ）、近距離無線通信手段２１０を介して制御信号の送信を開始する（ＳＴＥＰ１０）。携帯端末１０１の判断で制御信号の送信を行わない選択である場合（ＳＴＥＰ６のＮｏ）、使用者に制御信号の送信の有無の確認を行う報知を行う（ＳＴＥＰ７）。使用者が制御信号の送信を開始するを選択した場合（ＳＴＥＰ８のＹｅｓ）、近距離無線通信手段２１０を介して制御信号の送信を開始する（ＳＴＥＰ９）。
【００３６】
また、使用者が制御信号の送信を開始しないを選択した場合（ＳＴＥＰ８のＮｏ）、または制御対象機器の状態を示す機器状態データが携帯端末１０１に予め登録している指定したある状態である場合も（ＳＴＥＰ５のＹｅｓ）、制御手段２０５は何も実行せず機器Ｂ１０４の状態を示す機器状態データが携帯端末１０１に予め登録している指定したある状態であるか否かの判定を開始する。
【００３７】
機器Ｂ１０４、機器Ｃ１０５においても機器Ａ１０３と同じ図５の点線で囲まれた部分のＳＴＥＰ５〜ＳＴＥＰ１０を行うため、説明は省略する。機器Ｂ１０４、機器Ｃ１０５の制御信号の送信処理が終了すると、再度ＳＴＥＰ１に戻り制御手段２０５は携帯端末１０１の現在位置の確認を行う。
【００３８】
図１に示す制御対象機器は機器Ａ１０３、機器Ｂ１０４、機器Ｃ１０５の３種類だけであるが、機器の接続可能数はこの図に示された数に限らない。
【００３９】
以上のように、本実施の形態においては、携帯端末装置の所有者が制御対象機器を設置している場所から外出する時、携帯端末装置が予め登録している位置に入ると携帯端末装置は制御対象機器と近距離無線通信で接続され、携帯端末装置の表示部に全ての制御対象機器の現在の状態が表示されることから、外出時に機器の状態が外出時の設定にされていることを一目で確認することができる。例えば自宅から外出する場合、照明のスイッチの状態、調理器（電気またはガスでもよい）の状態、湯沸しポットの節電状態、ふろまたは給湯器の運転状態、玄関の施錠の状態などが一覧で表示され、現在の機器の状態が外出時の設定にされているか否かを確認できるため、安心して外出することができる。
【００４０】
また、近距離無線通信手段を介して制御対象機器をある状態から指定したある状態へ変化させる制御信号を出力するため、玄関の施錠忘れや照明のスイッチの切忘れのような現在の機器の状態が外出時の設定になっていなかった場合でも、制御対象機器の設置場所に戻って設定を変える必要がなくなり、時間の浪費がなく安心して外出することができる。また近距離無線通信手段を使用して制御信号を出力するためインターネットを介した通信網を使用するよりもロスタイムが小さくなり、慌てて外出する場合でも外出時の設定に確実に変更することができ安心して外出することができる。
【００４１】
さらに、携帯端末１０１が近距離無線通信手段２１０を介して前記制御対象機器の状態を示す機器状態データを受信し、制御対象機器が携帯端末１０１に予め登録している指定したある状態でない場合、指定したある状態へ変更する制御信号を携帯端末１０１の判断で出力することを特徴とし、使用者が時間にゆとりがなく外出する場合でも、制御対象機器が携帯端末装置に予め登録している指定したある状態に変更されるため、安心して外出することができる。
【００４２】
さらに、携帯端末１０１が制御対象機器へ指定したある状態に変更する制御信号を出力し、制御対象機器の状態が指定したある状態に変化した場合、制御対象機器から状態変更完了信号を受信し、携帯端末１０１の表示手段２０１に状態変更完了を報知することを特徴とし、使用者が時間にゆとりがなく外出する場合でも、制御対象機器が携帯端末装置に予め登録している指定したある状態に変更されたことが確認できるため、安心して外出することができる。
【００４３】
さらに、携帯端末１０１において、指定したある状態に変更する制御信号を携帯端末装置の判断で出力するか否かを選択することを特徴とし、使用者が制御信号を携帯端末１０１の判断で出力するか否かの選択を制御対象機器全体または機器毎に行えるため、例えば機器毎に設定した場合、外出時、玄関の鍵は必ず施錠させたいので携帯端末装置の判断で制御信号の出力をする設定とし、また窓のカーテンの開閉はその日の天気によって制御内容を変更したいため携帯端末装置の判断で制御信号の出力をしない設定とし、使用者に対してサービス性が高くなる。
【００４４】
さらに、携帯端末装置は不揮発性メモリ２０４を有し、前記不揮発性メモリ２０４へ制御対象機器の機器情報及び機器状態データを受信する位置を保存する不揮発性メモリ制御手段２０３を有することを特徴とし、携帯端末装置の電源ＯＦＦまたはバッテリー切れなどが発生しても、制御対象機器の機器情報及び前記近距離無線通信手段を介して、機器状態データを受信する位置を損なうことがなくなる。
【００４５】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムであれば、磁気メディアや光メディアなどの記録媒体に記録したりインターネットなどの通信回線を用いて配信することでプログラムの配布・更新やインストール作業が簡単にできる。
【００４６】
なお、本実施の形態では外出時について説明したが、これに限らず、例えば帰宅時や部屋移動のときでもよい。また、位置検出手段についてはＧＰＳを用いたが携帯電話やＰＨＳの受信エリアによる位置検出など公知の位置検出手段であってもよい。また、近距離無線通信には小電力無線や微弱無線を用いてもよい。
【産業上の利用可能性】
【００４７】
以上のように、本発明にかかる移動端末装置およびそのプログラムは、移動端末装置の現在位置が予め登録した位置に入ったとき、近距離無線通信手段を介して制御対象機器の状態を示すため、移動端末装置の所有者が制御対象機器を設置している場所から外出する時、移動端末装置が予め登録している位置に入ると移動端末装置は制御対象機器と近距離無線通信で接続され、移動端末装置の表示部に全ての制御対象機器の現在の状態が表示されることから、例えば外出時に機器の状態が外出時の設定にされていることを一目で確認することができる。例えば自宅から外出する場合、照明のスイッチの状態、調理器（電気またはガスでもよい）の状態、湯沸しポットの節電状態、ふろまたは給湯器の運転状態、玄関の施錠の状態などが一覧で表示され、現在の機器の状態が外出時の設定にされているか否かを確認できるため、安心して外出することができる。
【００４８】
また、近距離無線通信手段を介して制御対象機器をある状態から指定したある状態へ変化させる制御信号を出力するため、例えば玄関の施錠忘れや照明のスイッチの切忘れのような現在の機器の状態が外出時の設定になっていなかった場合でも、制御対象機器の設置場所に戻って設定を変える必要がなくなり、時間の浪費がなく安心して外出することができる。また近距離無線通信手段を使用して制御信号を出力するためインターネットを介した通信網を使用するよりもロスタイムが小さくなり、慌てて外出する場合でも外出時の設定に確実に変更することができ安心して外出することができる。
【図面の簡単な説明】
【００４９】
【図１】本発明の実施の形態１における通信システムの構成図
【図２】本発明の実施の形態１における携帯端末（移動端末装置）ブロック図
【図３】本発明の実施の形態１における携帯端末（移動端末装置）の機器の状態を表示した画面のイメージ図
【図４】本発明の実施の形態１における携帯端末（移動端末装置）の制御対象機器の指定したある状態に変更が完了した時の報知画面のイメージ図
【図５】本発明の実施の形態１における携帯端末（移動端末装置）の動作を説明するためのフローチャート
【図６】従来の遠隔監視制御システムのブロック図
【符号の説明】
【００５０】
１０１  携帯端末（移動端末装置）
１０３  機器Ａ（制御対象機器）
１０４  機器Ｂ（制御対象機器）
１０５  機器Ｃ（制御対象機器）
２０１  表示手段
２０３  不揮発性メモリ制御手段
２０４  不揮発性メモリ
２０５  制御手段
２０６  情報通信手段
２０７  位置検出手段
２１０  近距離無線無線通信手段
【図１】
2005229362.tif 000003
【図２】
2005229362.tif 000004
【図３】
2005229362.tif 000005
【図４】
2005229362.tif 000006
【図５】
2005229362.tif 000007
【図６】
2005229362.tif 000008